(57)【要約】【課題】安価で、且つ、オフライン状態でもセキュリティ機能を保つことのできるカードロックシステムを提供する。【解決手段】カードロックシステム１は、錠前の施解錠操作時に必要なカードＩＤを記憶した鍵カード１０と、鍵カード１０に記憶されたカードＩＤの正当性を判別し、該カードＩＤを正常に認証したときのみ錠前を施解錠する施解錠制御機能を有するカード式電気錠２０とを具備する。カード式電気錠２０は、鍵カード１０のカードＩＤを正常に認証しないときに異常を示す異常電気錠ＩＤを鍵カード１０に送出する。鍵カード１０は、カード式電気錠２０から送出される異常電気錠ＩＤの入力回数を記憶し、異常電気錠ＩＤの入力回数が予め規定した回数以上になったときに、正規のカード式電気錠２０を施解錠しようとしても正常カードＩＤがカード式電気錠に送出されずに使用制限が掛かる。【選択図】図１
2007092434.tif 000002
【特許請求の範囲】
【請求項１】
錠前の施解錠操作時に必要なカードＩＤを記憶した鍵カードと、該鍵カードに記憶されたカードＩＤの正当性を判別し、該カードＩＤを正常に認証したときのみ前記錠前を施解錠する施解錠制御機能を有するカード式電気錠とを備えたカードロックシステムであって、
前記カード式電気錠は、前記鍵カードのカードＩＤを正常に認証しないときに異常を示す異常電気錠ＩＤを前記鍵カードに送出し、
前記鍵カードは、前記カード式電気錠から送出される異常電気錠ＩＤの入力回数を記憶しており、
前記鍵カードに記憶される前記異常電気錠ＩＤの入力回数が予め規定した回数以上になったときに、該鍵カードに使用制限を掛けることを特徴とするカードロックシステム。
【請求項２】
前記使用制限が掛けられた鍵カードの使用制限を解除し、再び使用可能にする管理用端末を備えたことを特徴とする請求項１記載のカードロックシステム。
【発明の詳細な説明】
【技術分野】
【０００１】
本発明は、例えばカード種別やカードＩＤなどの錠前の施解錠に必要な施解錠情報が記憶されたカード状記憶媒体からなる鍵カードを用い、この鍵カードに記憶された施解錠情報の正当性を判別し、正常に認証したときのみ錠前の施解錠を行うカードロックシステムに関するものである。そして、特に、錠前の施解錠操作時において、鍵カードによる誤った施解錠操作が規定回数以上行われたときに、その鍵カードの使用を制限することができるカードロックシステムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカード状記憶媒体を鍵カードとして用い、この鍵カードに記憶された各種データ（例えば特定の暗号による施解錠データ）を読み取り、読み取った各種データを予め登録された情報と照合して正当性を判別し、正常に認証した場合のみ錠前の施解錠を行うものである。
【０００３】
このようなカード式電気錠は、ピッキング等の不正な施解錠行為を防止し、且つ、鍵の複製が非常に困難なため、セキュリティー面において信頼されている。また、各鍵カード毎の各種データをホストコンピューターで管理しているため、データ破損等の心配がなく、鍵カードを紛失した場合においても鍵カードを再発行することが可能である。そして、このようなカード式電気錠を用いたカードロックシステムとしては、例えば下記特許文献１に開示される出入管理システムが知られている。
【０００４】
特許文献１に開示される出入管理システム１０１は、図４に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００５】
カードコントローラ１０６は、電気錠１０３に接続された唯一の電気錠駆動部Ｋ（１０４，１０５）と、複数の磁気カードリーダ１０４および１０５のうち何れかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【特許文献１】特開２００１−２４１２２６号公報
【発明の開示】
【発明が解決しようとする課題】
【０００６】
このように、既存の出入管理システムなどで広く採用されているカードロックシステムは、専用の鍵カード以外では施解錠されないため優れたセキュリティ性を有している。しかしながら、この種のカードロックシステムでは、鍵カードを正規の所有者が行使した場合に限られるが、拾得や盗難により不正に得た鍵カードを用いて施解錠操作を行った場合でも、正規の所有者と同様の権限で入室権限を行使して電気錠を解錠することができてしまうという問題があった。
【０００７】
このような不正行為を防止するため、鍵カードの誤った照合作業が繰り返されたときに、予め決められた回数で鍵カードの使用の制限を掛ける集中管理型ビルシステムが知られている。しかしながら、このような集中管理型ビルシステムでは、大掛かりなシステム管理装置やネットワーク構築などシステム導入に際して甚大なコストが掛かる。このため、中小規模のオフィスビルや集合住宅に採用するには、コストの面において事実上困難な仕掛けであった。
【０００８】
そこで、本発明は上記問題点に鑑みてなされたものであり、安価で、且つ、独立で駆動制御するスタンドアロンな構成のカード式電気錠によって鍵カードの使用制限機能を実現するカードロックシステムを提供することを目的とするものである。
【課題を解決するための手段】
【０００９】
上記した目的を達成するために、請求項１記載のカードロックシステムは、錠前の施解錠操作時に必要なカードＩＤを記憶した鍵カードと、該鍵カードに記憶されたカードＩＤの正当性を判別し、該カードＩＤを正常に認証したときのみ前記錠前を施解錠する施解錠制御機能を有するカード式電気錠とを備えたカードロックシステムであって、
前記カード式電気錠は、前記鍵カードのカードＩＤを正常に認証しないときに異常を示す異常電気錠ＩＤを前記鍵カードに送出し、
前記鍵カードは、前記カード式電気錠から送出される異常電気錠ＩＤの入力回数を記憶しており、
前記鍵カードに記憶される前記異常電気錠ＩＤの入力回数が予め規定した回数以上になったときに、該鍵カードに使用制限を掛けることを特徴とする。
【００１０】
請求項２記載のカードロックシステムは、請求項１記載のカードロックシステムにおいて、
前記使用制限が掛けられた鍵カードの使用制限を解除し、再び使用可能にする管理用端末を備えたことを特徴とする。
【発明の効果】
【００１１】
本発明のカードロックシステムによれば、拾得や盗難によって得た鍵カードによって不正に使用された場合であっても、鍵カードとカード式電気錠との間での情報のやり取りにより、その鍵カードが予め規定した回数以上誤った施解錠操作がなされれば、その鍵カードに使用制限を掛けることができる。このため、大掛かりな管理用オンラインシステムを構築をすることなく、低コストで、且つ、オフラインシステムでの不正行為に対するセキュリティ性能の向上が図れるカードロックシステムを提供することができる。
【発明を実施するための最良の形態】
【００１２】
以下、本発明の最良の形態について、添付した図面を参照しながらそれぞれ説明する。図１は本発明に係るカードロックシステムの電気的構成を示す概略構成図、図２は本発明に係るカードロックシステムの正常動作時の処理に関するシステムフロー図、図３は本発明に係るカードロックシステムの異常動作時の処理に関するシステムフロー図である。
【００１３】
本例のカードロックシステムは、錠前の施解錠に必要な各種情報（施解錠情報）を記憶する鍵カードを用いて錠前の施解錠を行うもので、鍵カードとカード式電気錠との間の情報のやり取りにより、鍵カードによる誤った施解錠操作が予め規定された回数以上実行されたときに、その鍵カードの使用を制限してセキュリティの向上を図るものである。また、使用制限が掛けられた鍵カードは、正規の所有者と確認できたときに、その使用制限を解除して再び使用可能にすることができるものである。
【００１４】
まず、図１を参照しながら、本例のカードロックシステムの各構成について詳細に説明する。図１に示すように、カードロックシステム１は、鍵カード１０と、鍵カード１０を用いて錠前を施解錠する際の各種制御を行う施解錠制御機能を有するリーダ一体型のスタンドアローンな構成のカード式電気錠２０と、鍵カード１０やカード式電気錠２０の管理などを行う管理用端末３０とを備えて概略構成される。なお、図１の例では、１つのカード式電気錠２０のみを示したが、複数のカード電気錠２０が不図示の電気錠制御盤に接続されている。
【００１５】
鍵カード１０は、錠前の施解錠に必要な各種情報を記憶するもので、例えばＩＣカードや磁気カードなどのカード状記憶媒体で構成される。ここでは、カード式電気錠２０との間で非接触により情報の送受を行うＩＣチップが内蔵されたリード／ライト可能な非接触ＩＣカードを鍵カード１０として採用している。鍵カード１０には、その鍵カード１０によって施解錠可能なカード式電気錠２０の認証用ＩＤが予め記憶されている。鍵カード１０は、錠前の施解錠操作時に、カード式電気錠２０から電磁波が送出されると、その電磁波をチャージし、予めカード毎に認証用に割り当てられたカードＩＤをカード式電気錠２０に送出する。また、鍵カード１０は、その鍵カード１０から送出されたカードＩＤが正当な情報であるか否かがカード式電気錠２０で判別され、その認証結果に基づいてカード式電気錠２０から送出される電気錠ＩＤを受信している。電気錠ＩＤは、正常電気錠ＩＤと異常電気錠ＩＤとからなる。正常電気錠ＩＤは、予めカード式電気錠２０毎に認証用に割り当てられた情報からなり、カードＩＤの照合がＯＫのときに鍵カード１０に送出される。また、異常電気錠ＩＤは、カードＩＤの照合がＮＧのときに鍵カード１０に送出される。
【００１６】
そして、カード式電気錠２０が鍵カード１０からのカードＩＤを照合してＯＫと判別し、カードＩＤを正常に認証したときには、予めカード式電気錠２０毎に認証用に割り当てられた正常電気錠ＩＤがカード式電気錠２０から鍵カード１０に送出される。鍵カード１０は、カード式電気錠２０から受信した正常電気錠ＩＤを、予め鍵カード１０に記憶されている認証用ＩＤと比較照合して正常に認証したときに、正常なカードＩＤをカード式電気錠２０に送出している。
【００１７】
これに対し、カード式電気錠２０が鍵カード１０からのカードＩＤを照合してＮＧと判別し、カードＩＤを正常に認証しないときには、異常を示す異常電気錠ＩＤがカード式電気錠２０から鍵カード１０に送出される。鍵カード１０は、カード式電気錠２０から受信した異常電気錠ＩＤの入力回数をカウントするとともに、その異常電気錠ＩＤの入力回数を記憶している。そして、鍵カード１０は、異常電気錠ＩＤの入力回数が予め規定された回数以上になったときに、カード式電気錠２０へ異常を示す異常カードＩＤを送出する。これにより、鍵カード１０に使用制限が掛かる。
【００１８】
なお、誤った施解錠操作が規定回数以上行われて使用制限が掛かった鍵カード１０は、正規の所有者と確認した上で、管理用端末３０によって異常電気錠ＩＤの情報を消去することができる。これにより、鍵カード１０は、使用制限が解除され、再度使用可能になる。
【００１９】
図１に示すように、カード式電気錠２０は、カード情報読書手段２１と、電気錠制御手段２２と、記憶手段２３と、通信手段２４と、駆動機構２５と、電源部２６とを備えて概略構成される。このカード式電気錠２０では、利用者が所有する鍵カード１０から送出されるカードＩＤを読み取り、この読み取ったカードＩＤの正当性を判別し、その判別結果に基づいて錠前の施解錠制御を不図示の電気錠制御盤からの制御によらず単体で行うことができるスタンドアロンな構成である。
【００２０】
カード情報読書手段２１は、鍵カード１０の種類に応じた例えばスワイプ式、挿入式、非接触式など各種情報の読書機能を有するカードリーダ／ライタで構成される。ここでは、鍵カード１０としてＩＣカードを採用しているので、非接触式のカードリーダ／ライタでカード情報読書手段２１が構成される。カード情報読書手段２１は、錠前の施解錠操作時に、利用者によって鍵カード１０がかざされると、その鍵カード１０に電磁波を送出し、この電磁波のチャージに伴って送出されるカードＩＤを読み取り、この読み取ったカードＩＤを電気錠制御手段２２に出力している。また、カード情報読書手段２１は、電気錠制御手段２２から入力されるカードＩＤの判別結果に基づく電気錠ＩＤ（正常時は正常電気錠ＩＤ、異常時は異常電気錠ＩＤ）を鍵カード１０に送出している。
【００２１】
電気錠制御手段２２は、例えばＣＰＵやＲＯＭ、ＲＡＭなどのマイクロコンピュータで構成され、施解錠操作時に読み取ったカードＩＤが正常であるか否かを判別し、その認証結果に基づいた電気錠ＩＤ（正常時は正常電気錠ＩＤ、異常時は異常電気錠ＩＤ）をカード情報読書手段２１に出力している。そして、電気錠制御手段２２は、鍵カード１０によるカード式電気錠２０の認証後にカード情報読書手段２１が読み取ったカードＩＤ（正常カードＩＤ）と、記憶手段２３に予め記憶された認証用カードＩＤとを照合してその正当性を判別し、正常に認証されたときのみ錠前を施解錠制御している。
【００２２】
さらに、電気錠制御手段２２は、錠前の施解錠に関するカードＩＤの入出力制御の他、錠前の施解錠時に駆動機構２５を駆動させるための駆動制御信号の出力、電源部２６から駆動機構２５への電源供給の制御、錠前からモニタ情報として入力される状態信号（例えば、扉の開閉状態信号、錠前の施解錠状態信号）の判別処理、誤った施解錠操作がなされた場合に使用した鍵カード１０へ異常電気錠ＩＤを送出して書き込むための書込制御、施解錠操作終了時に鍵カード１０から送出される正常カードＩＤまたは異常カードＩＤに基づいて管理用端末３０や不図示の電気錠制御盤に出力する正常操作終了信号または異常操作終了信号の出力制御などを行っている。
【００２３】
記憶手段２３は、例えば磁気的、光学的記憶媒体若しくはＲＯＭ、ＲＡＭなどの半導体メモリで構成される。この記憶手段２３は、カード式電気錠２０毎に割り当てられた電気錠ＩＤ、カード情報読書手段２１が読み取ったカードＩＤが正当なＩＤであるか否かを判別するための認証用カードＩＤ、モニタ情報としての状態信号（扉の開閉状態信号や錠前の施解錠状態信号）などの錠前の施解錠制御に関する各種データを記憶している。
【００２４】
通信手段２４は、例えばＲＳ−２３２Ｃなどの通信インターフェースで構成され、通信ケーブルを介して例えば管理室などに設置された管理用端末３０や不図示の電気錠制御盤と接続されており、カードロックシステム１に関する各種情報の通信を行う。
【００２５】
駆動機構２５は、例えばモータやソレノイドなどの駆動装置と錠前で構成され、電気錠制御手段２２から入力される駆動制御信号により錠前を施錠または解錠するべく駆動し、扉枠の係止穴に対してデッドボルトを突出（施錠時）又は引き込む（解錠時）ことにより錠前が施解錠される。
【００２６】
電源部２６は、例えば商用電源（ＡＣ１００Ｖ）である外部電源で構成され通電金具を介してカード式電気錠２０を構成する各部に電源を供給する。また、電源部２６は、錠前やエスカチオン（化粧板）の内部に着脱可能に設けられる電池で構成し、この電池からカード式電気錠２０を構成する各部に電源を供給することもできる。
【００２７】
管理用端末３０は、カードロックシステム１を管理する管理者によって操作され、外部に異常を発報する警報手段３１を備えたネットワーク構築可能な情報端末機器で構成される。管理端末３０は、鍵カード１０に掛けられたカードの使用制限の解除、カード式電気錠２０から出力された異常操作終了信号に基づいて警報手段３１から例えば警備会社などへの通報、警報音やＬＥＤ発光による発報など、カードロックシステム１に係る各種管理を行う。
【００２８】
次に、上記のように構成されたカードロックシステム１の動作例について図２および図３を参照しながら具体的に説明する。ここでは、オフィスビルや集合住宅などのエントランス扉に本例のカードロックシステム１を採用し、カードＩＤ及び電気錠ＩＤを読み書きするための非接触ＩＣチップ内蔵のＩＣカードを鍵カード１０として用い、この鍵カード１０とカード式電気錠２０との間で情報の送受を行うことにより錠前を施解錠制御する場合を例にとって説明する。なお、この場合、ＩＣカードからなる鍵カード１０との間の情報のやり取りは、カード式電気錠２０の所定範囲内に鍵カード１０を近接させることによって非接触で行われる。
【００２９】
まず、鍵カード１０の正規の所有者が正常な施解錠操作によってカード式電気錠２０の錠前を施錠若しくは解錠する場合について説明する。
【００３０】
図２に示すように、オフィスビルや集合住宅などのエントランス扉を施錠若しくは解錠する際、まずエントランス扉近傍に設けられたカード式電気錠２０のカード情報読書手段２１に鍵カード１０をかざして施解錠操作を行う（ＳＴ１１）。この施解錠操作がなされると、カード式電気錠２０は、鍵カード１０に電磁波を送出する。鍵カード１０は、カード式電気錠２０からの電磁波をチャージし、この電磁波のチャージに伴って鍵カード１０に予め記憶されているカードＩＤをカード式電気錠２０に送出する（ＳＴ１２）。カード式電気錠２０は、鍵カード１０から送出されるカードＩＤを読み取り、この読み取ったカードＩＤと、記憶手段２３に予め記憶された認証用のカードＩＤとを比較照合し、読み取ったカードＩＤの正当性を判別する（ＳＴ１３）。カード式電気錠２０は、判別の結果、読み取ったカードＩＤの正当性が認証されると、正当なカードＩＤであることを示す正常電気錠ＩＤを鍵カード１０に送出する（ＳＴ１４）。
【００３１】
そして、鍵カード１０は、カード式電気錠２０から正常電気錠ＩＤを受信すると、その正常電気錠ＩＤと、予め鍵カード１０に記憶されている認証用ＩＤとを比較照合照合し、正常に認証すると、正常を示す正常カードＩＤをカード式電気錠２０に送出する（ＳＴ１５）。カード式電気錠２０は、鍵カード１０から正常カードＩＤを受信すると、錠前を施錠若しくは解錠するべく、駆動機構２５を駆動させるための駆動制御信号の出力や電源部２６から駆動機構２５への電源供給の制御を行い、錠前を解錠又は施錠する（ＳＴ１６）。そして、正常に施解錠操作が行われたことを示す正常操作終了信号を管理用端末３０や不図示の電気錠制御盤に出力する（ＳＴ１７）。
【００３２】
次に、不審者が拾った鍵カード１０で誤った施解錠操作を規定回数（本例では３回）以上行い、鍵カード１０に使用制限が掛けられる場合について説明する。
【００３３】
図３に示すように、まずエントランス扉近傍に設けられたカード式電気錠２０のカード情報読書手段２１に鍵カード１０をかざして施解錠操作を行う（ＳＴ２１）。この施解錠操作がなされると、カード式電気錠２０は、鍵カード１０に電磁波を送出する。鍵カード１０は、カード式電気錠２０からの電磁波をチャージし、この電磁波のチャージに伴って鍵カード１０に予め記憶されているカードＩＤをカード式電気錠２０に送出する（ＳＴ２２）。カード式電気錠２０は、鍵カード１０から送出されるカードＩＤを読み取り、この読み取ったカードＩＤと、記憶手段２３に予め記憶された認証用のカードＩＤとを比較照合し、読み取ったカードＩＤの正当性を判別する（ＳＴ２３）。カード式電気錠２０は、判別の結果、読み取ったカードＩＤの正当性がないと認証すると、不正なカードＩＤであることを示す異常電気錠ＩＤを鍵カード１０に出力する（ＳＴ２４）。
【００３４】
その後、鍵カード１０は、誤った施解錠操作がなされる毎に、カード式電気錠２０から送出される異常電気錠ＩＤをカウントし、異常電気錠ＩＤのカウント数を記憶する（ＳＴ２５）。そして、鍵カード１０は、カード式電気錠２０から規定回数（３回）以上の異常電気錠ＩＤを受信すると、その時点で鍵カード１０に使用制限が掛かり、鍵カード１０からカード式電気錠２０に異常を示す異常カードＩＤを送出する（ＳＴ２６）。そして、カード式電気錠２０は、鍵カード１０から異常カードＩＤを受信すると、異常な施解錠操作が行われたことを示す異常操作終了信号を管理用端末３０や不図示の電気錠制御盤に出力する（ＳＴ２７）。管理用端末３０は、カード式電気錠２０から異常操作終了信号を受信すると、例えばブザーなどの警戒音やＬＥＤ発光などを行う警報手段３１に警報信号を出力し、周囲若しくは管理者や警備会社に異常な施解錠操作がなされたことを発報する（ＳＴ２８）。なお、異常時の発報は、不図示の電気錠制御盤が行うことも可能である。
【００３５】
そして、鍵カード１０に記憶される異常電気錠ＩＤのカウント数（正規でないカード式電気錠２０にかざされた回数）が規定回数以上のときには、その鍵カード１０が正規のカード式電気錠２０にかざされたとしても、鍵カード１０からは正常カードＩＤではなく、異常カードＩＤがカード式電気錠２０に送出される。これにより、カード式電気錠２０に警告を与えることができる。
【００３６】
このように、上述したカードロックシステム１では、鍵カード１０を用いてカード式電気錠２０の施解錠操作を行い、鍵カード１０に予め記憶されているカードＩＤと記憶手段２３に予め記憶された認証用カードＩＤとの比較照合により、鍵カード１０から読み取ったカードＩＤの正当性を判別する。その判別の結果、鍵カード１０から読み取ったカードＩＤの正当性がないと認証したときには、異常電気錠ＩＤを鍵カード１０へ送出する。そして、鍵カード１０は、誤った施解錠操作がなされる毎にカード式電気錠２０から送出される異常電気錠ＩＤの入力回数をカウントして記憶し、誤った施解錠操作が規定回数以上になったときに、異常カードＩＤをカード式電気錠２０に送出して鍵カード１０に使用制限を掛ける。そして、カード式電気錠２０は、鍵カード１０から異常カードＩＤを受信したときに、異常操作終了信号を管理用端末３０や不図示の電気錠制御盤に出力し、管理用端末３０の警報手段３１が異常を発報する。
【００３７】
従って、本例のカードロックシステム１によれば、鍵カード１０とカード式電気錠２０との間での情報のやり取りによって鍵カード１０単体又はカード式電気錠２０で鍵カード１０の使用制限が行え、大掛かりなシステムを構築する必要なく、且つ、オフライン時であってもセキュリティ性能を保つことができる。しかも、導入コストが安価であるため、中小規模のオフィスビルや集合住宅でも容易にシステム導入することができる。
【００３８】
ところで、本例では、鍵カード１０の正規の所有者が誤って異なるカード式電気錠２０の施解錠を行った場合、その後でもその鍵カード１０を使用できるように、異常電気錠ＩＤの規定入力回数を例えば３回に設定している。しかし、本例のカードロックシステム１では、使用制限が掛けられた鍵カード１０であっても、正規の所有者と確認できれば、管理用端末３０によってその鍵カード１０の使用制限を何時でも解除して再び使用可能にすることができる。このため、鍵カード１０に記憶される異常電気錠ＩＤの規定入力回数を１回に設定することも可能である。これにより、さらにセキュリティの向上を図ることができる。
【００３９】
また、上述した形態では、ＩＣカードを鍵カード１０として採用し、カード式電気錠２０から送出される異常電気錠ＩＤの入力回数が規定回数以上となったときに、その鍵カード１０に使用制限が掛かり、鍵カード１０から自発的にカード式電気錠２０に異常カードＩＤを送出している。これにより、鍵カード１０単体での使用制限ができ、カード式電気錠２０は不図示の電気錠制御盤に対してオフラインで動作可能としてる。しかし、この構成に限定されず、例えば磁気カードを鍵カード１０として採用することもできる。
【００４０】
この場合、カード式電気錠２０は、鍵カード１０から読み取ったカードＩＤを正常に認証しなかったときに、その鍵カード１０に異常電気錠ＩＤ（異常回数）を書き込む。そして、鍵カード１０による誤った施解錠操作がなされた毎に、異常電気錠ＩＤを更新記憶し、その異常電気錠ＩＤの入力回数が規定回数以上となったときに、カード式電気錠２０が鍵カード１０の使用制限を掛け、カード式電気錠２０から管理用端末３０や不図示の電気錠制御盤に異常操作終了信号を出力する。そして、管理用端末３０や不図示の電気錠制御盤は、カード式電気錠２０から異常操作終了信号を受信したときに異常を発報する。
【００４１】
さらに、本例では、鍵カード１０とカード式電気錠２０とがお互いのＩＤ認証を行う構成としているが、カード式電気錠２０側のみで鍵カード１０の認証を行う構成とすることも可能である。
【００４２】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００４３】
【図１】本発明に係るカードロックシステムの電気的構成を示す概略構成図である。
【図２】本発明に係るカードロックシステムの正常動作時の処理に関するシステムフロー図である。
【図３】本発明に係るカードロックシステムの異常動作時の処理に関するシステムフロー図である。
【図４】従来のカードロックシステムの一例を示す概略説明図である。
【符号の説明】
【００４４】
１  カードロックシステム
１０  鍵カード
２０  カード式電気錠
２１  カード情報読書手段
２２  電気錠制御手段
２３  記憶手段
２４  通信手段
２５  駆動機構
２６  電源部
３０  管理用端末
３１  警報手段
【図１】
2007092434.tif 000003
【図２】
2007092434.tif 000004
【図３】
2007092434.tif 000005
【図４】
2007092434.tif 000006